(57)【要約】      （修正有）【課題】コンビニエンス・ストアなどで弁当や飲料ボトルを購入して手さげ袋内に収容する際に、弁当の容器が傾かないように飲料ボトルの支持を適切に行えるようにするとともに、不使用時には折り畳んでコンパクトに携帯できるようにした飲料ボトル保持部付き弁当用手さげ袋を提供する。【解決手段】折り畳み可能のシート製手さげ袋３が、偏平な弁当容器４を安定よく支持するための水平な内底面３ａを形成できるように構成されて、同手さげ袋３の内側壁３ｂには、竪長の飲料ボトル５を横倒し状態で水平に保持するための飲料ボトル保持部６が、両端開口のシート製筒状部材として同内側壁３ｂに折り畳み可能に設けられている。また、手さげ袋３の不使用時に同手さげ袋３を折り畳んで収納するための小袋８が手さげ袋３の小袋保持部７に保持される。【選択図】図１
0003134749.tif 000002
【実用新案登録請求の範囲】
【請求項１】
上部に開口を有するとともに、同開口の両側に手さげ用の取っ手を具えた折り畳み可能のシート製手さげ袋が、偏平な弁当容器を安定よく支持するための水平な内底面を形成しうるように構成されており、同手さげ袋の内側壁に沿い、竪長の飲料ボトルを横倒し状態で水平に保持するための飲料ボトル保持部が、シートにより同内側壁に折り畳み可能に設けられていることを特徴とする、飲料ボトル保持部付き弁当用手さげ袋。
【請求項２】
上記飲料ボトル保持部が、上記手さげ袋における取っ手の取付け部の近傍で同手さげ袋の開口の内側上縁部に沿い両端開口のシート製筒状部材として水平に装着されていることを特徴とする、請求項１に記載の飲料ボトル保持部付き弁当用手さげ袋。
【請求項３】
上記シート製筒状部材としての上記飲料ボトル保持部の端部開口が、上記飲料ボトルの挿入を簡易化すべく局部的な斜行縁部を具えて形成されていることを特徴とする、請求項２に記載の飲料ボトル保持部付き弁当用手さげ袋。
【請求項４】
上記手さげ袋を折り畳んで収納しうる小袋を備え、同小袋から上記手さげ袋を取り出し展張して使用する際に不要となった同小袋を収納するための小袋収納部が、上記手さげ袋に設けられていることを特徴とする、請求項１〜３のいずれか１つに記載の飲料ボトル保持部付き弁当用手さげ袋。
【考案の詳細な説明】
【技術分野】
【０００１】
本考案は、コンビニエンス・ストアなどで購入した弁当や飲物を収納し持ち帰るための手さげ袋に関し、特に飲料ボトルを適切に保持して弁当を傾けずに収納し運べるようにした飲料ボトル保持部付き弁当用手さげ袋に関する。
【背景技術】
【０００２】
一般に、コンビニエンス・ストアなどで弁当や飲物を購入する場合、商品を会計場所（レジ）へ持参して支払いをすませると、購入品収納用の手さげ袋（レジ袋）を与えられて、同レジ袋に購入品を収納し持ち帰ることが行われているが、このため莫大な数量のレジ袋が消費されている。
そこで、コンビニエンス・ストアなどでの買物の際にも簡便に使用できるようにした買物用かばんの開発が行われているが、持ち運びの際に嵩張って不便を生じるという不具合がある。
また、買物の際に、購入品の種類に応じ袋内で区分けを必要とする場合に備えて、買物袋の内部に上下方向の仕切を設けるようにした仕切付き買物袋も開発されているが、このような上下方向の仕切が常設されていると、購入した弁当を水平に収納することが困難になり、また飲料ボトルの重量により袋内で弁当の容器が著しく傾くようになるという不具体がある。
【特許文献１】登録実用新案第３１０６７２４号公報
【特許文献２】特開２００６−２２３７９７号公報
【考案の開示】
【考案が解決しようとする課題】
【０００３】
本考案は、コンビニエンス・ストアなどで弁当や飲料ボトルを購入して手さげ袋内に収容する際に、弁当の容器が傾かないように飲料ボトルの支持を適切に行えるようにするとともに、不使用時には折り畳んでコンパクトに携帯できるようにした飲料ボトル保持部付き弁当用手さげ袋を提供することを課題とする。
【課題を解決するための手段】
【０００４】
前述の課題を解決するため、本考案の飲料ボトル保持部付き弁当用手さげ袋は、上部に開口を有するとともに、同開口の両側に手さげ用の取っ手を具えた折り畳み可能のシート製手さげ袋が、偏平な弁当容器を安定よく支持するための水平な内底面を形成しうるように構成されており、同手さげ袋の内側壁に沿い、竪長の飲料ボトルを横倒し状態で水平に保持するための飲料ボトル保持部が、シートにより同内側壁に折り畳み可能に設けられていることを特徴としている。
【０００５】
また、本考案の飲料ボトル保持部付き弁当用手さげ袋は、上記飲料ボトル保持部が、上記手さげ袋における取っ手の取付け部の近傍で同手さげ袋の開口の内側上縁部に沿い両端開口のシート製筒状部材として水平に装着されていることを特徴としている。
【０００６】
さらに、本考案の飲料ボトル保持部付き弁当用手さげ袋は、上記シート製筒状部材としての上記飲料ボトル保持部の端部開口が、上記飲料ボトルの挿入を簡易化すべく局部的な斜行縁部を具えて形成されていることを特徴としている。
【０００７】
また、本考案の飲料ボトル保持部付き弁当用手さげ袋は、上記手さげ袋を折り畳んで収納しうる小袋を備え、同小袋から上記手さげ袋を取り出し展張して使用する際に不要となった同小袋を収納するための小袋収納部が、上記手さげ袋に設けられていることを特徴としている。
【考案の効果】
【０００８】
上述の本考案の飲料ボトル保持部付き弁当用手さげ袋では、手さげ袋全体が折り畳み可能のシートにより形成されているため、コンパクトに折り畳んだ状態で簡便に持ち運ぶことが可能であり、使用に際しては展張状態として上部の開口を通じ弁当を収容し水平な内底面に安定よく着座させることができる。
【０００９】
そして、竪長の飲料ボトルは横倒しの水平状態で手さげ袋の内側壁に沿う飲料ボトル保持部に保持させることができるので、手さげ用の取っ手を把持して手さげ袋を吊下させた状態でも、同手さげ袋の内底面は水平に保たれて、同内底面に上記の偏平な弁当を安定よく着座させることが可能になる。
【００１０】
また、上記飲料ボトル保持部が、上記手さげ袋における取っ手の取付け部の近傍で同手さげ袋の開口の内側上縁部に沿い両端開口のシート製筒状部材として水平に装着されていると、上記ボトル保持部に横倒し状態で水平に挿入保持された竪長の飲料ボトルは、上記手さげ袋の取っ手を介し安定よく支持されるようになるので、この手さげ袋全体としての形状も傾くことなく安定よく保たれるようになり、このようにして同手さげ袋の底部内に支持された弁当も安定よく水平に支持されるようになる。
【００１１】
さらに、上記シート製筒状部材としての上記飲料ボトル保持部の端部開口が、上記飲料ボトルの挿入を簡易化すべく局部的な斜行縁部を具えて形成されることにより、同斜行縁部をこじあけるようにして上記飲料ボトルの挿入操作が大幅に簡易化されるようになる。
【００１２】
また、上記手さげ袋を折り畳んで収納しうる小袋を備え、同小袋から上記手さげ袋を取り出し展張して使用する際に不要となった同小袋を収容するための小袋収納部が、上記手さげ袋自体に設けられていると、上記小袋の不使用時に同小袋の紛失を未然に防止することが可能になる。
【実施例】
【００１３】
図１は本考案の一実施例としての飲料ボトル保持部付き弁当用手さげ袋の使用状態を示す見取り図、図２は上記飲料ボトル保持部付き弁当用手さげ袋の内側要部を示す部分図である。
【００１４】
図１に示すように、上部に開口１を有するとともに、手さげ用の一対の取っ手２，２を具えた手さげ袋３が、折り畳み可能の薄くて丈夫な繊維製シートにより形成されており、同手さげ袋３を開いた状態では、その底部に偏平な弁当容器４を安定よく支持するための水平な内底面３ａが形成されるようになっている。
なお、本実施例では、手さげ袋３の折り畳みが、折りぐせの付された折り畳みライン１ａに沿って行われるように構成されている。
【００１５】
また、手さげ袋３の内側壁３ｂに沿い竪長の飲料ボトル５を横倒し状態で水平に挿入し保持するためのシート製の飲料ボトル保持部６が、図１，２に示すように、取っ手２の手さげ袋３への取付け部２ａの近傍で同手さげ袋３の開口１の内側上縁部１ｂに沿い水平に且つ折り畳み可能に装着されている。
【００１６】
図２に示すように、シート製筒状部材としての飲料ボトル保持部６の端部開口は、飲料ボトル５の挿入を簡易化できるように、局部的な斜行縁部６ａを具えて構成される。
【００１７】
さらに、この手さげ袋３では、図１に示すように、同手さげ袋３を折り畳んで収納しうるチャック８ａ付き小袋８を備え、同小袋８から手さげ袋３を取り出し展張して使用する際に不要となった同小袋８を収納するための小袋収納部７が設けられている。
【００１８】
上述の本実施例の飲料ボトル保持部付き弁当用手さげ袋では、手さげ袋３全体が折り畳み可能のシートにより形成されているため、コンパクトに折り畳んだ状態で簡便に持ち運ぶことが可能であり、使用に際しては展張状態として上部の開口１を通じ弁当の容器４を収容し水平な内底面３ａに安定よく着座させることができる。
【００１９】
そして、竪長の飲料ボトル５は横倒しの水平状態で手さげ袋３の内側壁に沿う飲料ボトル保持部６に保持させることができるので、手さげ用の取っ手２，２を把持して手さげ袋３を吊下させた状態でも、同手さげ袋３の内底面３ａは水平に保たれて、同内底面３ａに偏平な弁当容器４を安定よく着座させることが可能になる。
【００２０】
また、飲料ボトル保持部６が、手さげ袋３における取っ手２の取付け部の近傍で同手さげ袋３の開口１の内側上縁部に沿い両端開口のシート製筒状部材として水平に装着されているので、飲料ボトル保持部６に横倒し状態で水平に挿入保持された竪長の飲料ボトル５は、手さげ袋３の取っ手２を介し安定よく支持されるようになり、これによりこの手さげ袋３全体としての形状も安定よく保たれるようになり、このようにして同手さげ袋３の底部内に支持された弁当容器４も安定よく支持されるようになる。
【００２１】
さらに、シート製筒状部材としての飲料ボトル保持部６の端部開口が、飲料ボトル５の挿入を簡易化すべく局部的な斜行縁部６ａ（図２参照）を具えて形成されることにより、同斜行縁部６ａをこじあけるようにして飲料ボトル５の挿入操作が大幅に簡易化されるようになる。
【００２２】
また、手さげ袋３を折り畳んで収納しうる小袋８を備え、同小袋８から手さげ袋３を取り出し展張して使用する際に不要となった同小袋８を収容するための小袋収納部７が、手さげ袋３自体に設けられているので、小袋８の不使用時に同小袋８の紛失を未然に防止することが可能になる。
【図面の簡単な説明】
【００２３】
【図１】本考案の一実施例としての飲料ボトル保持部付き弁当用手さげ袋の使用状態を示す見取り図である。
【図２】上記飲料ボトル保持部付き弁当用手さげ袋の内側要部を示す見取り図である。
【符号の説明】
【００２４】
１  開口
１ａ  折り畳みライン
２  取っ手
３  手さげ袋
３ａ  内底面
３ｂ  内側壁
４  弁当容器
５  飲料ボトル
６  飲料ボトル保持部
６ａ  斜行縁部
７  小袋保持部
８  小袋
８ａ  チャック
【図１】
0003134749.tif 000003
【図２】
0003134749.tif 000004